(57)【要約】【課題】  使用者の顔部周辺に取り付けられ、対象物に照射光を投光することにより対象物に対する使用者の視覚環境を向上させる視覚環境向上器の提供。【解決手段】  使用者１が装着する眼鏡２のフレーム３に取り付けられた投光具５から対象物１２に照射光１４が投光されるが、投光具５に設けられた光特性の調整器１３の調整により、光特性の照度、焦点及び色度の少なくとも一つが調整され、使用者１の対象物１２に対する視覚環境を現在の視覚環境よりも向上するように設定することが可能になる。【選択図】図３
2013118157.tif 000002
【特許請求の範囲】
【請求項１】
対象物に対して視覚利用作業を行なう使用者の顔部周辺に取り付けられ、前記対象物に照射光を投光して、前記対象物に対する前記使用者の視覚環境を向上させる視覚環境向上器であり、
該視覚環境向上器は、前記使用者が装着する眼鏡のフレームに取り付けられ、前記対象物に前記照射光を投光することにより、前記使用者の視覚利用作業の視覚環境を、現在の視覚環境から向上させる投光具を有することを特徴とする視覚環境向上器。
【請求項２】
請求項１記載の視覚環境向上器において、投光具には照射光の光特性の調整器が設けられていることを特徴とする視覚環境向上器。
【請求項３】
請求項２記載の視覚環境向上器において、光特性の調整器は照射器の照度、焦点及び色度の少なくとも一つの調整を行なうことを特徴とする視覚環境向上器。
【請求項４】
対象物に対して視覚利用作業を行なう使用者の顔部周辺に取り付けられ、前記対象物に照射光を投光して、前記対象物に対する前記使用者の視覚環境を向上させる視覚環境向上器であり、
該視覚環境向上器は、前記使用者の前記顔部周辺の装着具に取り付けられ、前記対象物に前記照射光を投光することにより、前記使用者の視覚利用作業の視覚環境を、現在の視覚環境から向上させる投光具を有することを特徴とする視覚環境向上器。
【請求項５】
請求項４記載の視覚環境向上器において、投光具には照射光の光特性の調整器が設けられていることを特徴とする視覚環境向上器。
【請求項６】
請求項５記載の視覚環境向上器において、光特性の調整器は照射器の照度、焦点及び色度の少なくとも一つの調整を行なうことを特徴とする視覚環境向上器。
【発明の詳細な説明】
【技術分野】
【０００１】  対象物に対して視覚利用作業を実行する作業者を使用者とし、該使用者の顔部周辺に取り付けられ、前記対象物に照射光を投光することにより前記対象物に対する前記使用者の視覚環境を向上させる視覚環境向上器に関する。
【背景技術】
【０００２】  本発明で視覚利用作業を実行する使用者が自らの視覚を働かせて行なう作業、例えば読書、美術鑑賞、彫刻、刺繍などを行なう場合には、書籍、美術品、彫刻品、刺繍品などの対象物に対して、照度、焦点、色度などの光特性を、実行する作業の内容に対応させて、自己に最適の視覚環境下に設定する必要がある。
このため自己の作業室内で視覚利用作業を実行する場合は、作業室内の照射光の光特性を調整して、対象物に対する照度、焦点、色度などの光特性を自己の希望する最適な視覚環境下に設定して、対象物に対して視覚利用作業を実行することが行なわれている。【０００３】  しかし視覚利用作業を実行する者は、視覚利用作業を時には自己の作業室以外の場所、例えば移動中の船舶、航空機、列車、車両の中で、或いは照明が不分な建物内で、更には野外施設内で行なうことが必要な場合がある。
このような場合に、対象物に対して視覚利用作業を現在の視覚環境に左右されずに実行することが要求され、この要求を満たすために多くの場合懐中電灯などの携帯照明具で対象物を照射しながら、対象物に対する視覚利用作業を行なう方法が取られている。【０００４】  しかしこの方法では、照度については満足する結果が得られても、焦点や色度まで要求される光特性には対応できず、携帯照明具を手で保持したり身辺に固定して使用する場合が多く、自らの視点と懐中電灯からの照明光との同期が取り難く、車両などの移動手段の揺れに対して、視覚利用作業を行なう者の視覚上の疲労が大きいという難点がある。
【発明の概要】
【発明が解決しようとする課題】
【０００５】  本発明は、前述したように自らの視覚を働かせて行なう視覚利用作業を、自己の作業室以外の場所で、書籍、美術品、彫刻品、刺繍品などの対象物に対して行なう場合に生じる不都合を解消するもので、本発明の使用者の顔部周辺に取り付けられ、視覚利用作業の実行時に照射光を対象物に投光することにより、対象物に対する使用者の視覚環境を向上させる視覚環境向上器である。
そして本発明は、発明の使用者の身辺具に取り付けられる投光具から、前記視覚利用作業の対象物に照射光を投射することにより、各種の環境条件下で作業の対象物を使用者に最適な視覚条件下に設定して、対象物に対する視覚作業が実行可能な視覚環境向上器を提供することにある。
【課題を解決するための手段】
【０００６】  前記目的を達成するために、請求項１記載の第１の発明は、対象物に対して視覚利用作業を行なう発明の使用者の顔部周辺に取り付けられ、前記対象物に照射光を投光して、前記対象物に対する前記使用者の視覚環境を向上させる視覚環境向上器であり、前記使用者が装着する眼鏡のフレームに取り付けられ、前記対象物に前記照射光を投光することにより、前記使用者の視覚利用作業の視覚環境を、現在の視覚環境から向上させる投光具を有することを特徴とするものである。【０００７】  第１の発明では、対象物に対して視覚利用作業を行なう使用者が装着する眼鏡のフレームに取り付けられた投光具から前記対象物に照射光が投光され、この照射光によって、前記使用者の前記対象物に対する視覚環境が、現在の視覚環境よりも向上する。
このため前記使用者によって、前記対象物に対して現在の視覚環境よりも向上した視覚環境下での視覚利用作業が行なわれる。【０００８】  前記目的を達成するために、請求項２記載の第２の発明は、第１の発明において、投光器には照射光の光特性の調整器が設けられていることを特徴とするものである。【０００９】  第２の発明では、投光器に設けられた調整器によって、前記対象物に投光される照射光の光特性が、前記使用者の前記対象物に対する最適な視覚条件に近付くように調整され、現在の視覚環境よりも向上する。【００１０】  前記目的を達成するために、請求項３記載の第３の発明は、第２の発明において、光特性の調整器は光特性の照度、焦点及び色度の少なくとも一つの調整を行なうことを特徴とするものである。【００１１】  第３の発明では、光特性の調整器によって、前記対象物に投光される照射光の光特性の照度、焦点及び色度の少なくとも一つが、前記使用者の前記対象物に対する最適な視覚環境下に近付くように調整され、現在の視覚環境よりも向上する。【００１２】  前記目的を達成するために、請求項４記載の第４の発明は、対象物に対して視覚利用作業を行なう使用者の顔部周辺に取り付けられ、前記対象物に照射光を投光することにより、前記対象物に対する前記使用者の視覚環境を向上させる視覚環境向上器であり、前記使用者の前記顔部周辺の装着具に取り付けられ、前記対象物に照射光を投光することにより、前記使用者の視覚利用作業の視覚環境を、現在の視覚環境から向上させる投光具を有することを特徴とするものである。【００１３】  第４の発明では、対象物に対して視覚利用作業を行なう使用者の前記顔部周辺の装着具に取り付けられた投光具から前記対象物に照射光が投光され、この照射光によって、前記利用者の前記対象物に対する視覚環境が、現在の視覚環境よりも向上する。
このため前記使用者によって、前記対象物に対して現在の視覚環境よりも向上した視覚環境下での視覚利用作業が行なわれる。【００１４】  前記目的を達成するために、請求項５記載の第５の発明は、第４の発明において、投光具には照射光の光特性の調整器が設けられていることを特徴とするものである。【００１５】  第５の発明では、投光器に設けられた調整器によって、前記対象物に投光される照射光の光特性が、前記使用者の前記対象物に対する最適な視覚条件に近付くように調整され、現在の視覚環境よりも向上する。【００１６】  前記目的を達成するために、請求項６記載の第６の発明は、第５の発明において、光特性の調整器は光特性の照度、焦点及び色度の少なくとも一つの調整を行なうことを特徴とするものである。【００１７】  第６の発明では、光特性の調整器によって、前記対象物に投光される照射光の光特性の照度、焦点及び色度の少なくとも一つが、前記使用者の前記対象物に対する最適な視覚条件に近付くように調整され、現在の視覚環境よりも向上する。
【発明の効果】
【００１８】  第１の発明によると、対象物に対して視覚利用作業を行なう使用者が装着する眼鏡のフレームに取り付けられた投光具から前記対象物に照射光が投光され、この照射光の投光によって、前記使用者の前記対象物に対する視覚環境を、現在の視覚環境よりも向上させるように設定される。
このため前記使用者は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも最適の視覚環境下で実行することが可能になる。【００１９】  第２の発明によると、対象物に対して視覚利用作業を行なう使用者が装着する眼鏡のフレームに取り付けられた投光具から前記対象物に照射光が投光されるが、前記投光具に設けられた調整器の調整により、前記照射光の光特性を前記使用者の前記対象物に対する視覚環境が現在の視覚環境よりも向上するように設定することが可能になる。
このため前記使用者は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも最適の視覚環境下で実行することが可能になる。【００２０】  第３の発明によると、対象物に対して視覚利用作業を行なう使用者が装着する眼鏡のフレームに取り付けられた投光具から前記対象物に照射光が投光されるが、前記投光具に設けられた光特性の調整器の調整により光特性の照度、焦点及び色彩の少なくとも一つが調整され、前記使用者の前記対象物に対する視覚環境を現在の視覚環境よりも向上するように設定することが可能になる。
このために前記使用者は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも最適の視覚環境下で実行することが可能になる。【００２１】  第４の発明によると、対象物に対して視覚利用作業を行なう使用者の顔部周辺の装着具に取り付けられた投光具から前記対象物に照射光が投光され、この照射光の投光によって、前記使用者の前記対象物に対する視覚環境を現在の視覚環境よりも向上させることが可能になる。
このため前記使用者は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも最適の視覚環境下で実行することが可能になる。【００２２】  第５の発明によると、対象物に対して視覚利用作業を行なう使用者の顔部周辺の装着具に取り付けられた投光具から前記対象物に照射光が投光されるが、前記投光具に設けられた調整器の調整により、前記照射光の光特性を前記使用者の前記対象物に対する視覚環境が現在の視覚環境よりも向上するように設定することが可能になる。
このため前記使用者は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも最適の視覚環境下で実行することが可能になる。【００２３】  第６の発明によると、対象物に対して視覚利用作業を行なう使用者の顔部周辺の装着具に取り付けられた投光具から前記対象物に照射光が投光されるが、前記投光具に設けられた光特性の調整器の調整により照度、焦点及び色彩の少なくとも一つが調整され、前記使用者の前記対象物に対する視覚環境が現在の視覚環境よりも向上するように設定することが可能になる。
このために前記使用者は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも最適の視覚環境下で実行することが可能になる。
【図面の簡単な説明】
【００２４】
【図１】  本発明の第１の実施例の構成を示す説明図である。
【図２】  本発明の第２の実施例の構成を示す説明図である。
【図３】  本発明の光度調整器の構成を示す回路説明図である。
【発明を実施するための形態】
【００２５】  先ず本発明の第１の実施例を、図１及び図３を参照して説明する。
【第１の実施例】
【００２６】  第１の実施例では、図１に示すように本発明の使用者１が装着する眼鏡２のフレーム３に照射光１４を投光するほぼ円柱形状の投光具５が着脱自在に係止されており、この投光具５からは図３に示すように、使用者１が視覚を働かせて行なう読書、美術鑑賞、彫刻、刺繍などの視覚利用作業の対象物１２となる書籍、美術品、彫刻品、刺繍品などに照射光が投光される構成となっている。
【００２７】  投光具５には光度調整器１３が内蔵されており、この光度調整器１３は図３に示すよう、照射光１４の照度を調整する照度調整器８、照射光１４の焦点を調整する焦点調整器１０及び照射光１４の色度を調整する色度調整器１１と、照度、焦点及び色度の少なくとも一つを選択する選択器７とで構成されている。
【００２８】  このような構成の第１の実施例は、対象物１２に対して視覚利用作業を行なう使用者１が装着する眼鏡２のフレーム３に取り付けられた投光具５から、対象物１２に照射光１４が投光される構成となっている。
本実施例では投光具５には光度調整器１３が内蔵されており、この光度調整器１３には、照射光１４の照度を調整する照度調整器８、照射光１４の焦点を調整する焦点調整器１０、照射光１４の色度を調整する色度調整器１１及び照度、焦点及び色度の少なくとも一つを選択する選択器７が収容されている。
【００２９】  第１の実施例によると、対象物１２に対して視覚利用作業を行なう使用者１が装着する眼鏡２のフレーム３に着脱自在に係止された投光具５から対象物１２に照射光１４が投光された状態で、使用者１の対象物１２に対する視覚利用作業が行なわれる。
この場合、本実施例では投光具５に設けられた光度調整器１３の照度、焦点及び色彩の少なくとも一つが選択器７により選択されるので、現在の視覚環境下での使用者１の対象物１２に対する視覚環境を現在の視覚環境よりも向上するように設定することが可能になる。
このために使用者１は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも、最適の視覚環境下に設定して実行することが可能になる。
【００３０】  次に本発明の第２の実施例を、図２及び図３を使用して説明する。
本発明は図２及び図３に示すように、対象物１２に対して視覚利用作業を行なう使用者１の顔部周辺の装着具６に、対象物１２に照射光１４を投光するほぼ円柱形状の投光具５が着脱自在に係止されており、この投光器具５からは、図３に示すように、使用者１が視覚を働かせて行なう読書美術鑑賞、彫刻、刺繍などの視覚利用作業の対象物１２となる書籍、美術品、彫刻品、刺繍品などに照射光が投光される構成となっている。
【００３１】  投光器５には光度調整器１３が内蔵されており、この光度調整器１３は図３に示すように、照射光１４の照度を調整する照度調整器８、照射光１４の焦点を調整する焦点調整器１０及び照射光１４の色度を調整する色度調整器１１と、照度、焦点及び色度の少なくとも一つを選択する選択器７とで構成されている。
【００３２】  このような構成の第２の実施例は、対象物１２に対して視覚利用作業を行なう使用者１が顔部周辺に装着する装着具６に着脱自在に係止されたほぼ円柱形状の投光具５から、対象物１２に照射光１４が投光される構成となっている。
本実施例では投光具５には光度調整器１３が内蔵されており、この光度調整器１３には、照射光１４の照度を調整する照度調整器８、照射光１４の焦点を調整する焦点調整器１０、照射光１４の色度を調整する色度調整器１１及び照度、焦点及び色度の少なくとも一つを選択する選択器７が収容されている。
【００３３】  第２の実施例によると、対象物１２に対して視覚利用作業を行なう使用者１が顔部周辺に装着する装着具６に着脱自在に係止されたほぼ円柱形状の投光具５から対象物１２に照射光１４が投光され、この照射光１４４が投光された状態で、使用者１の対象物１２に対する視覚利用作業が行なわれる。
この場合、本実施例では投光具５に設けられた光度調整器１３の照度、焦点及び色彩の少なくとも一つが選択器７により選択されるので、現在の視覚環境下での使用者１の対象物１２に対する視覚環境を、現在の視覚環境よりも向上するように設定することが可能なる。
このために使用者１は、書籍、美術品、彫刻品、刺繍品などの対象物に対して、自らの視覚を働かせて行なう読書、美術鑑賞、彫刻、刺繍などの視覚利用作業を、移動中の船舶、航空機、列車、車両の中、或いは照明が不分な建物内や野外施設内など、自己の作業室以外の場所でも、最適の視覚環境下に設定して実行することが可能になる。
【００３４】  以上に説明した各実施例では、使用者１が書籍、美術品、彫刻品、刺繍品などの対象物１２に対して、自らの視覚を働かせて行なう読書、美術鑑賞、彫刻、刺繍などの視覚利用作業を、使用者１が装着する眼鏡２のフレーム３、或いは使用者１が顔部周辺に装着する装着具６に着脱自在に係止された投光具５からの照射光１４を対象物１２に投光して行なう場合を説明した。
しかし本発明は各実施例に限定されるものではなく、例えば医師である使用者１が患者の患部を対象物１２として、手術用キャップに取り付けた投光具５からの照射光を、患者の患部に照射して手術を行なう場合や、歴史研究者が帽子に投光具６を取り付けて化石を調査・判定する場合に適用することも可能である。
【符号の説明】
【００３５】１  使用者
２  眼鏡
３  フレーム
５  投光具
６  装着具
７  選択器
８  照度調整器
１０  焦点調整器
１１  色度調整器
１２  対象物
１３  光度調整器
１４  照射光
【図１】
2013118157.tif 000003
【図２】
2013118157.tif 000004
【図３】
2013118157.tif 000005